(57)【特許請求の範囲】
【請求項１】
プラットホームの舗装が低くなっている凹部を含む前記舗装の所定領域に設けられた透水性舗装部と、
前記舗装の内部に形成されて、一端が前記透水性舗装部に連通し、他端が所定の排水箇所に連通する排水管と、
を備えるプラットホームにおける水抜き構造。
【請求項２】
プラットホームの舗装が低くなっている凹部を含む前記舗装の所定領域に透水性舗装部を埋設する工程と、
前記透水性舗装部と所定の排水箇所とを連通する排水管を前記舗装の内部に埋設する工程と、
を含むプラットホームにおける水抜き構造の施工方法。
【発明の詳細な説明】
【技術分野】
【０００１】
本発明は、プラットホームにおける水抜き構造、及びプラットホームにおける水抜き構造の施工方法に関する。
【背景技術】
【０００２】
従来、プラットホームの舗装に不陸があり、その低くなっている箇所に降雨によって水溜りが生じることがある。とくに、上屋が設けられていないプラットホームであったり、列車長に対して上屋の長さが短いプラットホームにあっては、水溜りによってプラットホームを利用する人が歩き難くなっているため、舗装の補修が行われている。
ところで、このような舗装に生じた凹み部分の修繕方法として、一般的には、舗装高さの低い箇所付近にカッターで切込みを入れ、舗装を剥がした後に新たな舗装材を打設して再舗装することにより、舗装の不陸を修復して水溜りを無くすような対応が施されている（例えば、特許文献１参照）。
【先行技術文献】
【特許文献】
【０００３】
【特許文献１】特開２００８−２２２０号公報
【発明の概要】
【発明が解決しようとする課題】
【０００４】
ところが、従来の舗装の修繕方法では、プラットホームに適用する場合に以下のような問題があった。
すなわち、特許文献１に開示されているように旧舗装を剥がして再舗装する場合には、施工誤差や施工の限界から、旧舗装部と修繕部との境界部の段差やわずかな不陸等が生じる場合があり、また修繕していないプラットホームと修繕部との同一化が困難であり、繰り返し行われる修繕部が目立ち見栄えが悪くなることから、その点で改良の余地があった。
【０００５】
本発明は、上述する問題点に鑑みてなされたもので、簡単な構造により、凹部に溜まる水を排水することができ、且つ外観上の見栄えを向上させることができるプラットホームにおける水抜き構造を提供することを目的とする。
【課題を解決するための手段】
【００１０】
本発明に係るプラットホームにおける水抜き構造では、プラットホームの舗装が低くなっている凹部を含む前記舗装の所定領域に設けられた透水性舗装部と、前記舗装の内部に形成されて、一端が前記透水性舗装部に連通し、他端が所定の排水箇所に連通する排水管と、を備えることを特徴としている。
本発明に係るプラットホームにおける水抜き構造の施工方法では、プラットホームの舗装が低くなっている凹部を含む前記舗装の所定領域に透水性舗装部を埋設する工程と、前記透水性舗装部と所定の排水箇所とを連通する排水管を前記舗装の内部に埋設する工程と、を含むことを特徴とする。
本発明では、降雨時に凹部内に溜まる水を透水性舗装部へ流入させ、この透水性舗装部を通過させて例えばプラットホーム外の所定の排水箇所へ排出させることができる。そのため、凹部に水が溜まるのを防ぐことができ、通行人が歩き易くなる。
【発明の効果】
【００１１】
本発明のプラットホームにおける水抜き構造によれば、凹部に連通する導水部、或いは透水性舗装部を設けるといった簡単な構造により、凹部に溜まる水を導水部、或いは透水性舗装部を介して排水することができ、且つ従来のように再舗装を行うことによる見栄えの悪さがなくなり、外観の向上を図ることができる。
【図面の簡単な説明】
【００１２】
【図１】本発明の第１の実施の形態による水抜き構造をなす水抜き孔の平面図である。
【図２】図１に示す水抜き孔の構成を示す側断面図である。
【図３】本発明の第２の実施の形態による水抜き構造を示す側断面図であって、図２に対応する図である。
【図４】本発明の第３の実施の形態による水抜き構造の平面図である。
【図５】図４に示す水抜き構造の構成を示す側断面図である。
【図６】溝状開口に蓋材を設けた側面図であって、図５に対応する図である。
【図７】本発明の第４の実施の形態による水抜き構造の平面図である。
【図８】図７に示す水抜き構造の構成を示す側断面図である。
【発明を実施するための形態】
【００１３】
以下、本発明によるプラットホームにおける水抜き構造の実施の形態について、図面に基づいて説明する。
（第１の実施の形態）
図１に示すように、本第１の実施の形態によるプラットホームにおける水抜き構造１は、プラットホーム（以下、単に「ホーム１」という）の舗装が低くなっている凹部２に溜まる水を取り除くためのものであり、その凹部２に連通する水抜き用の導水部を設け、この導水部より凹部２に溜まった水を所定の排水箇所へ向けて誘導する構成となっている。
ここで、ホーム１は、凹部２の上方に上屋が無いホームを対象としており、表面側の舗装１０と、舗装１０より下方に位置する盛土部１１とから構成されている。
【００１４】
具体的に導水部は、凹部２より下方に向けて舗装１０を上下方向に貫通する水抜き孔３である。この水抜き孔３は、舗装１０のみを貫通しており、上端３ａが凹部２の底面２ａに位置し、下端３ｂが舗装１０の下面に位置している。また、水抜き孔３は、舗装１０を削孔しただけの削孔穴の状態でもよく、その削孔穴に例えば鋼管や塩ビ管などの管材を挿入させて配置したものであってもよい。
【００１５】
水抜き孔３の上端側の開口部には、その開口部を塞ぐようにして透水性を有する閉止部材４が設けられている。閉止部材４として、例えば透水舗装材料、不織布等の透水性を有する部材や、微細な穴の開いた水蓋を採用することができる。前記透水性を有する部材の場合には、図２の二点鎖線に示すように水抜き孔３の上端内に充填され、水蓋の場合には、上端３ａの開口部に係合される。
【００１６】
このように構成される導水部では、凹部の底面から下方に向けて延びる水抜き孔３を例えばコアボーリング等の削孔手段などによって簡単に設けることが可能であり、この水抜き孔３より降雨時に凹部２内に溜まる水Ｗを閉止部材４を通過させて水抜き孔３へ流入させ、さらに水抜き孔３から舗装１０より下方の盛土部１１へ自然流下させることで排水することができる。そのため、ホーム１の凹部２に水が溜まるのを防ぐことができ、通行人が歩き易くなるという利点がある。
【００１７】
また、水抜き孔３の開口部が閉止部材４で塞がれているので、通行人が水抜き孔３の開口部によってつまずくという不具合を防止できるうえ、開口部が開いた状態という見栄えの悪さを解消することができる。
【００１８】
上述した第１の実施の形態によるプラットホームにおける水抜き構造では、凹部２に連通する水抜き孔３を設けるといった簡単な構造により、凹部２に溜まる水を水抜き孔３を介して排水することができ、且つ従来のように再舗装を行うことによる見栄えの悪さがなくなり、外観の向上を図ることができる。
【００１９】
次に、本発明の他の実施の形態について図面に基づいて説明するが、上述の第１の実施の形態と同一又は同様な部材、部分には同一の符号を用いて説明を省略し、異なる構成について説明する。
【００２０】
（第２の実施の形態）
図３に示すように、第２の実施の形態によるプラットホームにおける水抜き構造は、凹部２の底面２ａより下方に向けて設けられる導水穴５と、この導水穴５に連通する導水孔６とからなり、この導水孔６は所定の排水箇所（図示省略）に向けて延びる構成をなす導水部を備えている。
【００２１】
導水穴５は、所定の深さ寸法の有底穴でホーム１の舗装１０内に設けられており、舗装１０を削孔しただけの削孔穴の状態でもよく、その削孔穴に例えば鋼管や塩ビ管などの管材を挿入させて配置したものであってもよい。導水穴５の凹部２に面する開口部５ａには、その開口を塞ぐようにして透水性を有する閉止部材４が設けられている。なお、閉止部材４の部材等は、上述した第１の実施の形態と同様であるので詳しい説明は省略する。
【００２２】
導水孔６は、配管材が用いられ、上流側端部６ａが導水穴５の周壁に接続するとともに、図示しない下流側端部が例えばホーム１の排水溝へ向けて延びている。なお、導水孔６は、その配置箇所に所定深さの溝を掘り、その溝内に導水孔６の配管を配置して、適宜な埋め戻し材によりその溝を埋めることで施工することができる。
【００２３】
本第２の実施の形態によれば、凹部２内に溜まる水Ｗを閉止部材４を通過させて導水穴５へ流入させ、さらに導水穴５内の水Ｗを導水孔６を通水させて排水溝などの所定の排水箇所へ排水することができる。
また、導水穴５の開口部が閉止部材４によって塞がれているので、上述した第１の実施の形態と同様に、通行人が導水穴５の開口部５ａにつまずくという不具合を防止できるうえ、開口部５ａが開いた状態という見栄えの悪さを解消することができる。
【００２４】
（第３の実施の形態）
図４乃至図６に示すように、第３の実施の形態によるプラットホームにおける水抜き構造は、凹部２に連通するとともに、ホーム１の舗装面に沿って延びる導水溝７を設けた構成である。
導水溝７は、所定深さを有する溝であり、上流側端部７ａが凹部２に接続するとともに、下流側端部７ｂが例えばホーム１の排水溝へ向けて延び、溝開口７ｃ（図５）が蓋材８で塞がれている。なお、図４および図５では、蓋材８を二点鎖線で示している。
【００２５】
本第３の実施の形態によれば、切削手段により導水溝７を簡単に設けることが可能であり、この導水溝７により凹部２から流入した水Ｗを排水溝などの排水箇所へ排水することができる。
また、導水溝７の溝開口７ｃが塞がれるので、通行人が導水溝７の溝開口７ｃによってつまずくという不具合を防止することができ、また溝開口７ｃが開いた状態という見栄えの悪さを解消することができる。
【００２６】
（第４の実施の形態）
図７および図８に示すように、第４の実施の形態によるプラットホームにおける水抜き構造は、ホーム１の舗装１０が低くなっている凹部２の底面２ａに接する舗装１０の所定領域に設けた透水性舗装部９と、舗装１０内で透水性舗装部９に連通する排水管１２と、凹部２の外側から低面２ａの透水性舗装部９に向けて延びる集水溝１３とからなり、ホーム１上に溜まった水Ｗを所定の排水箇所へ誘導する構成になっている。
【００２７】
排水管１２は、配管材が用いられ、上流側端部１２ａが透水性舗装部９に接続するとともに、上流側端部１２ａより低い位置となる下流側端部１２ｂがホーム１の側面１ａに開口するように延びている。なお、排水管１２は、その配置箇所に所定深さの溝を掘り、その溝内に排水管１２用の配管を配置して、適宜な埋め戻し材によりその溝を埋めることで施工することができる。これにより、排水管１２は、透水性舗装部９内の水Ｗを下流側端部１２ｂへ自然に通水させることができる。
【００２８】
集水溝１３は、平面視で透水性舗装部９を中心にして複数が略放射状に配置され、それぞれが凹部２に沿ってその外側から底面２ａに配置される透水性舗装部９に向けて延び、凹部２の外側の周囲に溜まる水Ｗ´を強制的に透水性舗装部９へ誘導する機能を有している。
【００２９】
本第４の実施の形態によれば、降雨時に凹部２内に溜まる水Ｗを底面２ａに連通する状態で配置される透水性舗装部９内に流入させ、さらに透水性舗装部９を通過させ、排水管１２を通水させてホーム１の側面１ａから排水することができる。
また、凹部２に流入しない凹部２周りに溜まる水Ｗ´は集水溝１３から凹部２に沿って透水性舗装部９に向けて誘導することができるので、その水Ｗ´を透水性舗装部９に流入させて排水することができる。したがって、凹部内のみならず凹部周囲の所定領域といった広範囲の水を排水することができる。
【００３０】
以上、本発明によるプラットホームにおける水抜き構造の実施の形態について説明したが、本発明は上記の実施の形態に限定されるものではなく、その趣旨を逸脱しない範囲で適宜変更可能である。
例えば、本第１の実施の形態では水抜き孔３に閉止部材４を設け、第２の実施の形態では導水穴５に閉止部材４を設け、第３の実施の形態では導水溝７の溝開口７ｃに蓋材８を設けているが、これら閉止部材４や蓋材８を設けることに限定されることはなく、開口そのものが極めて小さい大きさであれば、閉止部材４や蓋材８を設けずに、開口のままであってもかまわない。
【００３１】
また、第３の実施の形態では導水溝７の溝開口７ｃに蓋材８を設けているが、蓋材８の代わりに導水溝７内を透水性を有する透水性部材で充填させる構造であっても良い。この場合、凹部２内の水Ｗを透水性を有する透水性部材が充填されている導水溝７に流入させて排水することができる。そして、導水溝７の溝開口が塞がれるので、通行人が溝開口につまずくという不具合を防止することができ、また溝開口が開いた状態という見栄えの悪さを解消することができる。
【００３２】
そして、水抜き孔３、導水穴５、導水孔６、導水溝７、排水管１２、集水溝１３の断面寸法、位置、長さ寸法などの構成は凹部２の大きさ、深さ、位置、ホーム１の形状、舗装１０の部材などの条件に応じて適宜設定することが可能である。
【００３３】
さらに、第４の実施の形態では透水性舗装部９に排水管１２を接続する構造としているが、このような管材であることに制限されることはなく、通水可能で且つ舗装材等に埋設可能な部材であればよい。例えば、上述した排水管１２に代えて不織布からなるシート状、或いは板状のドレーン材を採用することも可能である。この場合、ドレーン材を透水性舗装部９に接触させるとともに排水させたい所定位置へ向けて下り勾配となるようにして敷設することで、透水性舗装部９内の水Ｗをドレーン材を介してドレーン材端部側へ自然に通水させることができる。
【００３４】
その他、本発明の趣旨を逸脱しない範囲で、上記した実施の形態における構成要素を周知の構成要素に置き換えることは適宜可能であり、また、上記した実施の形態を適宜組み合わせてもよい。
【符号の説明】
【００３５】
１  ホーム（プラットホーム）
２  凹部
２ａ  底面
３  水抜き孔（導水部）
４  閉止部材
５  導水穴（導水部）
６  導水孔（導水部）
７  導水溝（導水部）
８  蓋材
９  透水性舗装部
１０  舗装
１２  排水管
１３  集水溝
Ｗ、Ｗ´  水
【図１】
0005650995.tif 000002
【図２】
0005650995.tif 000003
【図３】
0005650995.tif 000004
【図４】
0005650995.tif 000005
【図５】
0005650995.tif 000006
【図６】
0005650995.tif 000007
【図７】
0005650995.tif 000008
【図８】
0005650995.tif 000009